(57)【要約】【課題】ローラに記録媒体分離部材を圧接して記録媒体のローラへの巻き付を防止するようにした装置において、記録媒体のジャム時における分離部材のはずれを、部品点数の増加や組み込み工数のアップを招くことなく防止できるようにした記録媒体分離部材組み付け方法及び分離部材を用いた装置を提供することが課題である。【解決手段】コイルバネのコイル部が挿入されて前記分離部材と一体に構成された回動軸と、一端を開放して細幅部とし、前記回動軸を記録部材分離位置に対して所定角度回動させた位置で挿脱できるようにした軸受けとからなり、前記コイルバネの一端を置く予備置き部と、前記コイルバネの一端をかけたとき、前記予備置き部より前記コイルバネを縮径させるバネかけ部とを設け、前記コイルバネの一端を予備置き部に置いて前記回動軸を軸受けへ挿入し、その後前記コイルバネの一端をバネかけ部に移動するようにして前記分離部材を組み付けるようにした。【選択図】      図３
2005132617.tif 000002
【特許請求の範囲】
【請求項１】
コイルバネによってローラ外周に圧接されてローラに巻き付く記録媒体を分離する分離部材と、前記コイルバネのコイル部が挿入されて前記分離部材と一体に構成された回動軸と、一端を開放して細幅部とし、前記回動軸を記録部材分離位置に対して所定角度回動させた位置で挿脱できるようにした軸受けとからなる画像形成装置における記録媒体分離部材の組み付け方法において、
前記コイルバネの一端を置く予備置き部と、前記コイルバネの一端をかけたとき、前記予備置き部より前記コイルバネを縮径させるバネかけ部とを設け、前記コイルバネの一端を予備置き部に置いて前記回動軸を軸受けへ挿入し、その後前記コイルバネの一端をバネかけ部に移動するようにして前記分離部材を組み付けることを特徴とする画像形成装置における記録媒体分離部材組み付け方法。
【請求項２】
前記コイルバネの一端を前記予備置き部から前記バネかけ部に移動したとき、前記コイルバネの内径が前記回動軸の径より小径となるように前記予備置き部と前記バネかけ部の高さの差を設定したことを特徴とする請求項１に記載した画像形成装置における記録媒体分離部材組み付け方法。
【請求項３】
コイルバネによってローラ外周に圧接されてローラに巻き付く記録媒体を分離する分離部材と、前記コイルバネのコイル部が挿入されて前記分離部材と一体に構成された回動軸と、一端が開放されて細幅部が設けられ、前記回動軸を記録部材分離位置に対して所定角度回動させた位置で挿脱可能に構成された軸受けとからなる画像形成装置における記録媒体分離部材を用いた装置において、
前記コイルバネの一端を置く予備置き部と、前記コイルバネの一端をかけたとき、前記予備置き部より前記コイルバネを縮径させるバネかけ部とを設け、前記コイルバネは、一端を前記予備置き部から前記バネかけ部に移動したとき、前記回動軸の回動によって回動軸が軸受けの前記挿脱位置に達する前に、内径が前記回動軸の径と略同径となるように前記予備置き部と前記バネかけ部の高さの差を設定したことを特徴とする画像形成装置における記録媒体分離部材を用いた装置。
【請求項４】
前記回動軸は、その断面が略小判状または略楕円状、若しくはＤカットとした部分を有し、該回動軸の小判状または楕円状、若しくはＤカットとした部分における細幅部を前記軸受けにおける細幅部に通して軸受けに挿入できるようにしたことを特徴とする請求項４に記載した画像形成装置における記録媒体分離部材を用いた装置。
【発明の詳細な説明】
【技術分野】
【０００１】
本発明は、画像形成装置における記録媒体分離部材組み付け方法及び分離部材を用いた装置に関し、特に、画像形成装置における記録媒体を搬送する搬送ローラや定着装置の定着ローラの表面に記録媒体が巻き付くのを防止するため、弾性部材によってローラ外周に圧接するようにした分離部材を用いた装置において、ジャムの発生で記録媒体によって分離部材が軸受けから外れてしまうのを防止するようにした、画像形成装置における記録媒体分離部材組み付け方法及び分離部材を用いた装置に関するものである。
【背景技術】
【０００２】
電子写真方式で画像を形成する画像形成装置においては、記録媒体を搬送する搬送ローラや、記録媒体上に転写されたトナー像を熱定着するためヒートローラなどが用いられており、さらに、これらローラ外周に記録媒体が巻き付くのを防止するため、爪を弾性部材によってローラ外周に圧接するようにした分離部材が用いられている。しかしながらこの分離部材は、弾性部材でローラ外周に圧接されているため、ローラの脱着に際して邪魔になり、脱着の際に分離部材を破損するという事故が生じることがあった。
【０００３】
そのため特許文献１には、図５に構成概略の斜視図を示し、図６（Ａ）、（Ｂ）に記録媒体分離部材２０の取り付け状況を、図６（Ｃ）に記録媒体分離部材２０の軸受け３６への取付方法を示したように、記録媒体分離部材２０を回動軸３０と一体とし、その回動軸３０にコイルバネ３２のコイル部を通すと共に端部に小判状部、または楕円状部３１を形成し、コイルバネの一端３３をバネ端部の置き部５０に、他端３４を記録媒体分離部材２０にかけ、図６（Ｃ）に示したように記録媒体分離部材２０を回動させて、小判状部、または楕円状部３１が軸受け３６、３７におけるスリット状の細幅部３８を通って軸受け部３９に収まるようにした、記録媒体分離部材２０を有する定着装置が示されている。
【０００４】
このようにして記録媒体分離部材２０を組み込むことにより、回動軸３０における小判状部、または楕円状部３１は軸受け３６、３７における軸受け部３９で回動可能となると共に、図６（Ｂ）に示したように、記録媒体分離部材２０はコイルバネ３２で図上左方向への回動力を受け、図６（Ａ）に示したように、先端が定着ローラ１８の外周に圧接される。また、ローラ１８の組み立て時は、回動軸３０における小判状部、または楕円状部３１を軸受け３６、３７における細幅部３８で保持し、記録媒体分離部材２０の爪部分がローラ１８から離れるようにして、組み立ての邪魔にならないようにすることができる。
【０００５】
しかしながらこの特許文献１に記載された記録媒体分離部材２０は、記録媒体のジャムが発生してユーザ−が記録媒体を無理に引き抜いた場合、記録媒体分離部材２０が図６（Ｃ）のように着脱可能位置まで回動し、そのまま外れてしまうという事故が発生していた。そのため従来では、図５に５１で示したようなビスまたは別部材などで構成した外れ防止部材を、ローラ１８と記録媒体分離部材２０の組み込みが終わった後で記録媒体分離部材２０の回動軌道上に設け、記録媒体分離部材２０が着脱可能位置まで回動しないようにしていた。
【０００６】
【特許文献１】特開２００２−３９１２４公報
【発明の開示】
【発明が解決しようとする課題】
【０００７】
しかしながら、このような記録媒体分離部材２０の外れ防止部材５１を設けるということは、部品の追加と組み込み工数のアップを招き、画像形成装置そのものの価格を上昇させてしまう。
【０００８】
そのため、本発明においてはかかる従来技術の問題点に鑑み、部品点数の増加や組み込み工数のアップを招くことなく、記録媒体のジャム時における記録媒体分離部材２０のはずれを防止できる画像形成装置における記録媒体分離部材組み付け方法及び分離部材を用いた装置を提供することが課題である。
【課題を解決するための手段】
【０００９】
上記課題を解決するため本発明においては、
コイルバネによってローラ外周に圧接されてローラに巻き付く記録媒体を分離する分離部材と、前記コイルバネのコイル部が挿入されて前記分離部材と一体に構成された回動軸と、一端を開放して細幅部とし、前記回動軸を記録部材分離位置に対して所定角度回動させた位置で挿脱できるようにした軸受けとからなる画像形成装置における記録媒体分離部材の組み付け方法において、
前記コイルバネの一端を置く予備置き部と、前記コイルバネの一端をかけたとき、前記予備置き部より前記コイルバネを縮径させるバネかけ部とを設け、前記コイルバネの一端を予備置き部に置いて前記回動軸を軸受けへ挿入し、その後前記コイルバネの一端をバネかけ部に移動するようにして前記分離部材を組み付けることを特徴とする画像形成装置における記録媒体分離部材組み付け方法を提供する。
【００１０】
そして前記コイルバネの一端を前記予備置き部から前記バネかけ部に移動したとき、前記コイルバネの内径が前記回動軸の径より小径となるように前記予備置き部と前記バネかけ部の高さの差を設定してある。
【００１１】
そして前記記録媒体分離部材組み付け方法を用いる装置は、
コイルバネによってローラ外周に圧接されてローラに巻き付く記録媒体を分離する分離部材と、前記コイルバネのコイル部が挿入されて前記分離部材と一体に構成された回動軸と、一端が開放されて細幅部が設けられ、前記回動軸を記録部材分離位置に対して所定角度回動させた位置で挿脱可能に構成された軸受けとからなる画像形成装置における記録媒体分離部材を用いた装置において、
前記コイルバネの一端を置く予備置き部と、前記コイルバネの一端をかけたとき、前記予備置き部より前記コイルバネを縮径させるバネかけ部とを設け、前記コイルバネは、一端を前記予備置き部から前記バネかけ部に移動したとき、前記回動軸の回動によって回動軸が軸受けの前記挿脱位置に達する前に、内径が前記回動軸の径と略同径となるように前記予備置き部と前記バネかけ部の高さの差を設定したことを特徴とする。
【００１２】
さらに前記回動軸は、その断面が略小判状または略楕円状、若しくはＤカットとした部分を有し、該回動軸の小判状または楕円状、若しくはＤカットとした部分における細幅部を前記軸受けにおける細幅部に通して軸受けに挿入できるようにしてある。
【発明の効果】
【００１３】
このようにコイルバネの一端をかける予備置き部と、前記コイルバネの一端をかけたとき、前記予備置き部より前記コイルバネを縮径させるバネかけ部とを設け、前記コイルバネの一端を予備置き部に置いて前記回動軸を軸受けへ挿入し、その後前記コイルバネの一端をバネかけ部に移動して前記分離部材を組み付けることにより、コイルバネは一端をバネかけ部にかけることで縮径されて分離部材が外れにくくなり、かつ、何ら新規部品を追加することがないから、簡単な構成で安価に、記録媒体のジャム時における分離部材のはずれを防止できる記録媒体分離部材組み付け方法及び分離部材を用いた装置を提供することができる。
【００１４】
そして前記コイルバネの一端を前記予備置き部から前記バネかけ部に移動したとき、前記コイルバネの内径が前記回動軸の径より小径となるように前記予備置き部と前記バネかけ部の高さの差を設定したことにより、分離部材は軸受けの挿脱位置まで回動することがなく、分離部材のはずれを簡単な構成で防止することができる。
【００１５】
また前記回動軸は、その断面が略小判状または略楕円状、若しくはＤカットとした部分を有し、該回動軸の小判状または楕円状、若しくはＤカットとした部分における細幅部を前記軸受けにおける細幅部に通して軸受けに挿入することにより、回動軸を容易に軸受け部に挿入することができる。
【発明を実施するための最良の形態】
【００１６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１７】
図１は本発明になる画像形成装置における記録媒体分離部材を用いた装置を定着装置に応用した場合の分離部材部分の拡大斜視図、図２は記録媒体分離部材近傍の一部断面図、図３（Ａ）、（Ｂ）は記録媒体分離部材の取り付け状況、（Ｃ）は記録媒体分離部材の組み付け方法の説明図、（Ｄ）、（Ｅ）は記録媒体分離部材組み付け後の回動範囲を説明するための図、図４は本発明になる画像形成装置における記録媒体分離部材を用いた装置を有したカラー画像形成装置の一例断面図である。
【００１８】
図中１は感光体ドラム、２は光走査ユニット、３は帯電器、４〜７は例えばイエロー、マゼンタ、シアン、ブラックなどの現像剤容器を含んだ現像装置、８は中間転写ドラム、９は感光体ドラム１のクリーニング手段、１０は中間転写ドラム８のクリーニング手段、１１は中間転写ドラム８に転写されたトナー像を記録媒体１２に２次転写するための２次転写手段、１３は２次転写手段１１によって画像が転写された記録媒体１２を定着装置１４に搬送する無端ベルを用いた搬送装置、１４は定着装置、１５は定着装置１４の下部組立体、１６は定着装置１４の上部組立体、１７は強化ＰＥＴ合成樹脂などで形成された定着装置１４の基体、１８は加熱ヒータを内蔵した定着ローラ、１９は加圧ローラ、２０は定着ローラ１８への記録媒体１２の巻き付を防止するための記録媒体分離部材、２１はサーモスタットである。
【００１９】
３０は記録媒体分離部材２０と一体に構成した回動軸、３１は略小判状又は略楕円形状、若しくはＤカットに形成し、一径方向を長辺とし、前記一径方向と直角な方向を短辺とした細幅部を有する回動軸３０における端部、３２はコイルバネ、３３はこのコイルバネ３２の端部、３４は同じくコイルバネ３２の記録媒体分離部材２０側の端部、３５は定着装置１４の基体１７に一体に形成され、コイルバネ３２の端部３３をかけるバネかけ部、３６、３７は一端が開放された細幅部３８と回動軸３０の小判状又は楕円形状に形成した部分が回動できるようにされた軸受け部３９を有した軸受け、４０はバネ端部３３の予備置き部である。
【００２０】
なお以下の説明では、画像形成装置として図４に示したカラー画像形成装置を例に、また記録媒体分離部材を設けるローラを定着装置のローラの場合を例に説明するが、本発明はカラー画像形成装置だけでなくモノクロ画像形成装置であってもよく、またローラも定着装置のものだけでなく、記録媒体分離部材を設けるものであれば搬送ローラなどであっても良いことは勿論である。またコイルバネ端部３３のバネかけ部３５、予備置き部４０もコイルバネ端部３３をかけたり置ければ図に示した形状のものにこだわらないことは自明である。
【００２１】
最初に図４を用い、本発明を定着装置に適用した画像形成装置について簡単に説明する。いま画像形成指示が来ると画像が例えばイエロー、マゼンタ、シアン、ブラックに分解され、それぞれの色の画像毎に、帯電器３による感光体ドラム１の均一な帯電、それぞれの色の画像信号による光走査ユニット２の駆動とそれによる感光体ドラム１の露光、それぞれの色に対応した現像装置４〜７のいずれかによる現像、形成されたトナー像の中間転写ドラム８への重ね転写が行われ、全ての色のトナー像が転写されてフルカラーのトナー像が中間転写ドラム８に形成されると、図示していない給紙カセットから記録媒体１２が送り込まれ、２次転写手段１１によってこの記録媒体１２にトナー像が転写される。そして記録媒体１２は、搬送装置１３によって定着装置１４に送られ、定着ローラ１８と加圧ローラ１９で加熱・加圧されて定着され、更に搬送装置によって排出される。
【００２２】
このうち定着装置１４は、加圧ローラ１９を有する下部組立体１５、基体１７にヒータを内蔵した定着ローラ１８、記録媒体分離部材２０、定着ローラ１８の温度を管理するためのサーモスタット２１を配した上部組立体１６とで構成され、加圧ローラ１９を有する下部組立体１５の組立が完成した後、上部組立体１６が下部組立体１５に取り付けられて定着装置１４が完成する。
【００２３】
上部組立体１６は、図４とは上下を逆にして図１に記録媒体分離部材２０近辺の斜視図を、図２に一部断面図を示したように、基体１７に定着ローラ１８を取り付け、さらに記録媒体分離部材２０が組み付けられる。記録媒体分離部材２０は図３（Ａ）、（Ｂ）に示したように、端部を小判状３１とした回動軸３０と一体に構成され、この回動軸３０には、一端部３４を記録媒体分離部材２０に、他の端部３３をバネかけ部３５にかけたコイルバネ３２のコイル部が挿入され、この記録媒体分離部材２０の爪部を定着ローラ１８に圧接する。またこの記録媒体分離部材２０は、ＰＥＫ、ポリイミド、ＰＰＳ等の合成樹脂で形成され、定着ローラ１８に接する爪部は褶動性をよくするためにフッ素コーティングされている。
【００２４】
そしてこの記録媒体分離部材２０と一体に構成された回動軸３０を受ける軸受け３６、３７は、一端を開放した細幅部３８と軸受け部３９（図３（ｃ）参照）とで構成され、図３（Ａ）、（Ｂ）に示したように、記録媒体分離部材２０の爪部が定着ローラ１８に接しているとき、回動軸３０における小判状部３１の細幅部が、軸受け３６、３７の細幅部３８に対して通り抜けられない角度となっている。なお、この小判状部３１は、略楕円状、若しくはＤカットでも良く、長辺と短辺を有する形状であればどのような形状でもよい。
【００２５】
またコイルバネ３２は、端部３３をバネかけ部３５にかけたとき、このバネかけ部３５の高さが図３（Ｄ）に示したように予備置き部４０よりもＨだけ高いため縮径され、図３（Ｄ）、（Ｅ）に示したように、記録媒体分離部材２０を角度θだけ回動させたとき、コイルバネ３２の内径が回動軸３０の径より小径となってそれ以上回動できないようになっている。
【００２６】
そのためこの記録媒体分離部材２０を組み込むときは、図３（Ｃ）に示したように、コイルバネ３２の端部３３をバネかけ部３５よりＨだけ低い予備置き部４０に置き、回動軸３０に設けた小判状部３１の細幅部が軸受け３６、３７の細幅部３８を通過できるよう、回動軸３０を所定角度回動させた挿脱位置（この場合は図３（Ａ）に示した位置から９０度回動させた位置）で組み込む。すなわち、コイルバネ３２の端部３３をバネかけ部３５よりＨだけ低い予備置き部４０に置いた場合、回動軸３０に設けた小判状部３１の細幅部が軸受け３６、３７の細幅部３８を通過できる挿脱位置まで回動させても、記録媒体分離部材２０の回動角度はθに達せず、容易に軸受け３６、３７の細幅部３８を通して挿脱できる。そしてその後、コイルバネ３２の端部３３を予備置き部４０からより高いバネかけ部３５に移動する。
【００２７】
すなわちコイルバネ３２は、記録媒体分離部材２０の回動軸３０の回動軸径をＤ、端部３３をバネかけ部３５にかけたときの内径をＤ１、記録媒体分離部材２０の小判状部３１における細幅部が、軸受け３６、３７の細幅部３８を通過できる挿脱可能位置まで回動させたときのコイルバネ３２の内径をＤ２とすると、下記（１）式を満足するようバネかけ部３５の高さHを設定するわけである。
Ｄ２＜Ｄ＜Ｄ１  …………  （１）
また、バネかけ部３５によるコイルバネ３２のたわみ角θの時のコイルバネ３２の内径は、コイルバネ３２の巻き数をＮとした場合、
Ｄθ＝（Ｎ×Ｄ１）／（Ｎ＋θ／３６０°）  …………  （２）
の関係が成り立っている。
【００２８】
このようにすることにより、例えば定着装置１４で記録媒体のジャムが発生し、ユーザが無理に記録媒体を引き抜こうとして記録媒体分離部材２０が回動しても、一体に構成した回動軸３０は、角度θだけ回動したときにコイルバネ３２が縮径して回動軸３０がそれ以上回動できないから、図３（Ｃ）に示した小判状部３１の細幅部が軸受け３６、３７の細幅部３８を通過できる挿脱位置まで回動することがなく、従来装置のように外れてしまうということがない。したがって従来装置のように、記録媒体分離部材２０が挿脱可能位置まで回動しないように、記録媒体分離部材２０の回動軌道上にビスまたは別部材などで構成した外れ防止部材を設けるといったことが不用になり、部品点数の増加や組み込み工数のアップを招くことなく、記録媒体のジャム時における記録媒体分離部材２０の外れを防止することができる。
【００２９】
なお、軸受け３６、３７の細幅部３８は、図３に示した実施例では図上上方に設けたが、これは軸受けの形状によっては例えば図上右方などに設けても良く、この場合小判状部３１の細幅部の方向をそれに合わせて構成すればよい。
【００３０】
このようにコイルバネ３２の一端をかける予備置き部４０と、この予備置き部よりコイルバネ３２を縮径させるバネかけ部３５とを設け、コイルバネ３２の一端を予備置き部４０に置いて回動軸３０を軸受け３６、３７へ挿入し、その後コイルバネ３２の一端をバネかけ部３５に移動して記録媒体分離部材２０を組み付けることにより、コイルバネ３２は一端をバネかけ部３５にかけることで縮径されて記録媒体分離部材２０が外れにくくなり、かつ、何ら新規部品を追加することがないから、簡単な構成で安価に、記録媒体のジャム時における記録媒体分離部材２０のはずれを防止できる記録媒体分離部材組み付け方法及び分離部材を用いた装置を提供することができる。
【００３１】
そしてコイルバネ３２は、一端をバネかけ部３５に移動したとき、回動軸３０の回動によって回動軸３０が軸受け３６、３７の挿脱位置に達する前に、コイルバネ３２の内径が３０回動軸の径より小径となるように前記予備置き部と前記バネかけ部の高さの差を設定したことにより、記録媒体分離部材２０は軸受け３６、３７の挿脱位置まで回動することがなく、記録媒体分離部材２０のはずれを簡単な構成で防止することができる。
【００３２】
また回動軸３０には、断面が略小判状または略楕円状、若しくはＤカットとした部分を設け、この部分における細幅部を軸受け３６、３７における細幅部３８に通して挿入することにより、回動軸３０を容易に軸受け部３９に挿入することができる。
【産業上の利用可能性】
【００３３】
本発明によれば、ローラに記録媒体分離部材を圧接して記録媒体のローラへの巻き付を防止するようにした装置において、部品点数の増加や組み込み工数のアップを招くことなく、記録媒体のジャム時における分離部材のはずれを防止できる、画像形成装置における記録媒体分離部材組み付け方法及び分離部材を用いた装置を提供することができる。
【図面の簡単な説明】
【００３４】
【図１】本発明になる画像形成装置における記録媒体分離部材を用いた装置を定着装置に応用した場合の分離部材部分の拡大斜視図である。
【図２】録媒体分離部材近傍の一部断面図である。
【図３】（Ａ）、（Ｂ）は記録媒体分離部材の取り付け状況、（Ｃ）は記録媒体分離部材の組み付け方法の説明図、（Ｄ）、（Ｅ）は記録媒体分離部材組み付け後の回動範囲を説明するための図である。
【図４】本発明になる画像形成装置における記録媒体分離部材を用いた装置を有したカラー画像形成装置の一例断面図である。
【図５】従来の記録媒体分離部材を用いた定着装置の分離部材部分拡大斜視図である。
【図６】（Ａ）、（Ｂ）は、従来の記録媒体分離部材の取り付け状況、（Ｃ）は記録媒体分離部材の軸受けへの組み付け方法の説明図である。
【符号の説明】
【００３５】
１８  定着ローラ
３０  軸
３１  小判状又は楕円形状に形成した軸の端部
３２  コイルバネ
３３、３４  コイルバネの端部
３５  バネかけ部
３６、３７  軸受け
３８  細幅部
３９  軸受け部
４０  予備置き部
【図１】
2005132617.tif 000003
【図２】
2005132617.tif 000004
【図３】
2005132617.tif 000005
【図４】
2005132617.tif 000006
【図５】
2005132617.tif 000007
【図６】
2005132617.tif 000008